(57)【要約】【課題】ハードウエアを追加・改修せずにソフトウェアの修正のみで通信システムの遠隔試験を実施する通信装置試験システム、通信システム試験方法、およびプログラムを提供する。【解決手段】通信装置を構成する各装置と端末装置のうち、試験の対象とする試験対象装置に予めログ収集端末を接続する。そして、通信装置の制御部に付加した試験制御機能によって、ログ収集端末へ所定の試験情報を送信するとともに、ログ収集端末によるログ収集を開始させ、試験終了後にログ収集を停止させてからログ収集端末より、試験で取得したログを転送させる。【選択図】図１
2014170418.tif 000002
【特許請求の範囲】
【請求項１】
ネットワークに接続された通信装置と、該通信装置と通信を行う端末装置とを含んで構成される通信システムで所定の試験を実施する通信装置試験システムであって、
前記通信装置を構成する各装置と前記端末装置のうち前記試験の対象とする試験対象装置に予めログ収集端末を接続し、前記通信装置の制御部が有する試験制御機能によって、前記ログ収集端末へ所定の試験情報を送信するとともに該ログ収集端末によるログ収集を開始させ、試験終了後に該ログ収集を停止させてから前記ログ収集端末より該試験で取得したログを転送させることを特徴とする通信装置試験システム。
【請求項２】
前記試験制御機能は、前記制御部の通信制御機能に対する、前記試験の実施のための機能追加により実現されることを特徴とする請求項１に記載の通信装置試験システム。
【請求項３】
ネットワークに接続された通信装置と、該通信装置と通信を行う端末装置とを含んで構成される通信システムで所定の試験を実施する通信装置試験システムであって、
前記試験を実施するための試験制御機能を有する試験制御手段と、
前記試験制御手段へ所定の試験情報を入力する手段と、
前記通信装置を構成する各装置と前記端末装置のうち前記試験の対象とする試験対象装置に接続されたログ収集端末とを備え、
前記試験制御手段は、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させることを特徴とする通信装置試験システム。
【請求項４】
前記試験情報は、前記通信装置に接続された監視装置より入力され、前記通信装置から前記ログ収集端末へ送信されることを特徴とする請求項１から請求項３のいずれか１項に記載の通信装置試験システム。
【請求項５】
前記試験情報には、試験時における前記各装置と前記端末装置の各種設定情報、試験時に制御を行う前記各装置と前記端末装置の制御内容、および時刻情報が含まれることを特徴とする請求項４に記載の通信装置試験システム。
【請求項６】
前記ログ収集端末は、前記各種設定情報をもとに前記各装置と前記端末装置に対して所定の装置設定を行うことを特徴とする請求項５に記載の通信装置試験システム。
【請求項７】
試験の開始前、前記試験制御機能により前記ログ収集端末へ時刻同期信号が送信されることで該ログ収集端末間で時刻同期をとることを特徴とする請求項１から請求項６のいずれか１項に記載の通信装置試験システム。
【請求項８】
前記ログ収集端末のうちの１つがログ収集を開始した後、該ログ収集を開始した旨の信号を他のログ収集端末へ送信することで前記ログ収集が開始されることを特徴とする請求項５に記載の通信装置試験システム。
【請求項９】
ネットワークに接続された通信装置と、該通信装置と通信を行う端末装置とを含んで構成される通信システムにおける通信システム試験方法であって、
前記通信装置の制御部に前記試験を実施するための試験制御機能を付加する工程と、
前記通信装置に接続された監視装置より所定の試験情報を入力する工程と、
前記通信装置を構成する各装置と前記端末装置のうち前記試験の対象とする試験対象装置を特定する工程と、
前記特定された試験対象装置にログ収集端末を接続する工程と、
前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる工程と、を備えることを特徴とする通信システム試験方法。
【請求項１０】
ネットワークに接続された通信装置と、該通信装置と通信を行う端末装置とを含んで構成される通信システムで所定の試験を実施する通信システム試験装置としてコンピュータを機能させるためのプログラムであって、
前記コンピュータを、
前記試験を実施するための試験制御機能を有する試験制御手段、
前記試験制御手段へ所定の試験情報を入力する手段、
前記通信装置を構成する各装置と前記端末装置のうち前記試験の対象とする試験対象装置にログ収集端末を接続させる手段、
前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる手段、
として機能させることを特徴とするプログラム。
【発明の詳細な説明】
【技術分野】
【０００１】
本発明は、基地局等の通信装置からなる通信システムにおいて、スループット測定等の試験を遠隔から自動で行う通信装置試験システム、通信システム試験方法、およびプログラムに関する。
【背景技術】
【０００２】
従来の一般的な通信装置における試験では、試験時に必要な各装置、移動端末の制御／ログ取得を手動で行う必要があり、試験時に試験対象とする各装置、移動端末それぞれに試験者を配していた。一方、各装置、移動端末に試験者を配さず、通信装置において自動試験ツールを使用した場合でも、基地局にハードウェア改修を加えた大規模な変更が必要となる場合が多く、試験の内容によっては、さらに、移動端末にも変更を加える必要があった。
【０００３】
通信ネットワークの試験を行うための構成として、特許文献１には、試験対象装置を含む試験システムを構成する各装置から解析用ログを収集するログ収集自動化装置が開示されている。また、特許文献２には、遠隔から無線通信装置の診断を実施して、所定の条件により自動的に診断を開始し、診断結果を示す情報を保守装置に送信する技術が開示されている。
【先行技術文献】
【特許文献】
【０００４】
【特許文献１】特開２０１２−１７５３８９号公報
【特許文献２】特開２０１２−１７５３３０号公報
【発明の概要】
【発明が解決しようとする課題】
【０００５】
特許文献１に開示されている発明は、システムを構成する各装置の時刻同期をとり、ログ監視や各装置からのログ収集を自動的に行うものであるが、試験対象装置とは別に試験自動化装置を用いる必要があり、移動端末も専用のログ収集機能を備えた試験機を用いている。そのため、試験の効率化に資することはあっても装置構成が複雑化するという問題がある。
【０００６】
また、特許文献２に係る発明では、試験を実行するため移動端末へ専用のソフトウェアをインストールする必要があり、そのようなソフトウェアに対応していない移動端末や、ソフトウェア変更が禁止されている移動端末では試験を実施することができないという問題がある。
【０００７】
本発明は、上記従来の技術に鑑みてなされたもので、通信システムを構成する基地局等へ試験用のハードウエアの追加を不要とし、簡単な構成で通信システムの試験を行うことができる通信装置試験システム、通信システム試験方法、およびプログラムを提供することを目的とする。
【課題を解決するための手段】
【０００８】
上述の問題を解決するため、本発明に係る通信装置試験システムは、ネットワークに接続された通信装置と、該通信装置と通信を行う端末装置とを含んで構成される通信システムで所定の試験を実施する通信装置試験システムであって、前記通信装置を構成する各装置と前記端末装置のうち前記試験の対象とする試験対象装置に予めログ収集端末を接続し、前記通信装置の制御部が有する試験制御機能によって、前記ログ収集端末へ所定の試験情報を送信するとともに該ログ収集端末によるログ収集を開始させ、試験終了後に該ログ収集を停止させてから前記ログ収集端末より該試験で取得したログを転送させることを特徴とする。
【０００９】
また、上述の問題を解決するため、本発明に係る通信装置試験システムは、ネットワークに接続された通信装置と、該通信装置と通信を行う端末装置とを含んで構成される通信システムで所定の試験を実施する通信装置試験システムであって、前記試験を実施するための試験制御機能を有する試験制御手段と、前記試験制御手段へ所定の試験情報を入力する手段と、前記通信装置を構成する各装置と前記端末装置のうち前記試験の対象とする試験対象装置に接続されたログ収集端末とを備え、前記試験制御手段は、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させることを特徴とする。
【００１０】
上述の問題を解決するため、本発明に係る通信システム試験方法は、ネットワークに接続された通信装置と、該通信装置と通信を行う端末装置とを含んで構成される通信システムにおける通信システム試験方法であって、前記通信装置の制御部に前記試験を実施するための試験制御機能を付加する工程と、前記通信装置に接続された監視装置より所定の試験情報を入力する工程と、前記通信装置を構成する各装置と前記端末装置のうち前記試験の対象とする試験対象装置を特定する工程と、前記特定された試験対象装置にログ収集端末を接続する工程と、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる工程と、を備えることを特徴とする。
【００１１】
上述の問題を解決するため、本発明に係るプログラムは、ネットワークに接続された通信装置と、該通信装置と通信を行う端末装置とを含んで構成される通信システムで所定の試験を実施する通信システム試験装置としてコンピュータを機能させるためのプログラムであって、前記コンピュータを、前記試験を実施するための試験制御機能を有する試験制御手段、前記試験制御手段へ所定の試験情報を入力する手段、前記通信装置を構成する各装置と前記端末装置のうち前記試験の対象とする試験対象装置にログ収集端末を接続させる手段、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる手段、として機能させることを特徴とする。
【発明の効果】
【００１２】
本発明によれば、通信システムを構成する通信装置、移動端末等に試験用のハードウエアの追加を一切不要とし、ソフトウェア修正のみの簡単な構成で、遠隔から通信システムの自動試験を実施することができる。
【図面の簡単な説明】
【００１３】
【図１】本発明の第１の実施の形態に係る通信装置自動試験システムの全体構成を示すブロック図である。
【図２】第１の実施の形態に係る通信装置自動試験システムを階層（レイヤー）別の概念で示した図である。
【図３】第１の実施の形態に係る通信装置自動試験システムの「試験制御部」における処理手順を示すフローチャートである。
【図４】第１の実施の形態に係る通信装置自動試験システムにおける動作を示すシーケンス図である。
【図５】ログ収集端末における試験内容の実施の例を示す図である。
【図６】本発明の第２の実施の形態に係る通信装置自動試験システムの全体構成を示すブロック図である。
【図７】本発明の第３の実施の形態に係る通信装置自動試験システムの全体構成を示すブロック図である。
【発明を実施するための形態】
【００１４】
以下、図面を参照して本願発明の好適な実施形態を詳細に説明する。
［第１の実施の形態］
図１は、本発明の第１の実施の形態に係る通信装置自動試験システムの全体構成を示すブロック図である。図１に示す通信装置自動試験システム１００（以下、単に試験システムともいう）は、コアネットワーク１１と、監視装置１２と、基地局１３と、ログ収集端末１４，１５，１９と、アンテナ１６，１７と、移動端末１８とを含んで構成される。基地局１３は、基地局１３全体を制御する制御部１３１と、移動端末１８との間で無線（ＲＦ）信号等を送受信する無線部１３４とを含んで構成される。具体的には、無線部１３４は、無線制御部１３６による制御によって基地局ＲＦ信号１６ａをアンテナ１６へ送受信して、移動端末１８との間で無線（ＲＦ）信号等を送受信する。一方、移動端末１８は、制御部１３１の制御により、移動端末ＲＦ信号１７ａをアンテナ１７へ送受信して、無線部１３４との間で無線（ＲＦ）信号等を送受信する。
【００１５】
基地局１３の制御部１３１は、記憶部１３７に格納された制御プログラム１３９に従って、基地局１３全体を制御、管理するとともに、コアネットワーク１１、移動端末１８等と送受信される情報に対して所定の処理を実行する。なお、基地局１３内では、制御部１３１と無線部１３４とが装置内信号１３ａを送受信する。
【００１６】
コアネットワーク１１は、例えば、有線バックホール回線を介して基地局１３と接続され、基地局１３の制御部１３１とバックホール信号１１ａを送受信する。また、基地局１３の制御部１３１に接続された監視装置１２は、遠隔から基地局１３を監視／制御する装置であり、制御部１３１と監視信号１２ａを送受信する。
【００１７】
図１に示すように、基地局１３の制御部１３１内に設けた記憶部１３７には、基地局１３を制御するための制御プログラム１３９に加えて、試験システム１００で実施される試験（自動試験）全体を制御および管理するための試験制御プログラム１４１が格納されている。試験システム１００における自動試験は、制御プログラム１３９のソフトウェア変更による機能追加（自動試験プログラムである試験制御プログラム１４１の追加）により、試験に関する所定の機能が実現される。なお、以降において、制御部１３１の制御プログラム１３９に追加した試験制御プログラム１４１による自動試験機能を実現する部分を、説明の便宜上、「試験制御部」ともいう。
【００１８】
「試験制御部」による制御内容として、試験情報（例えば、試験時の各装置設定情報、試験時に制御を行う各装置／端末の制御内容と時刻情報）を受信して保存し、必要に応じて各装置の設定情報を各端末に送信し、試験開始前に各装置の装置設定をすることが挙げられる。また、試験情報（例えば、試験時に制御を行う各装置／端末の制御内容と時刻情報）を試験開始前に各端末に送信する。さらに、各端末に時刻情報を送信して、試験開始前に各端末間で時刻同期を取り、試験終了後に各端末のログ収集を停止する。なお、「各装置」とは、例えば、基地局１３内の制御部１３１、無線部１３４をいう。
【００１９】
「試験制御部」は、例えば、試験者により監視装置１２から送られた試験情報を受信して保存し、後述するように、試験開始時に時刻同期信号をログ収集端末１４，１５，１９へ送信して時刻同期をとる機能を有する。また、試験開始前にログ収集端末１４，１５，１９へ試験に必要な情報を送信し、試験終了後にログ収集端末１４，１５，１９からのログ収集を行う機能を有する。
【００２０】
基地局１３内の制御部１３１に接続されたログ収集端末１４は、制御部１３１内のログＩ／Ｆ１３３を通して、制御部１３１の制御信号とログを含んで構成されるログ／制御信号１４ａを送受信する。基地局１３内の無線部１３４に接続されたログ収集端末１５は、無線部１３４内のログＩ／Ｆ１３５を通して、無線部１３４の制御信号とログを含んで構成されるログ／制御信号１５ａを送受信する。また、移動端末１８に接続されたログ収集端末１９は、移動端末１８内のログＩ／Ｆ１８１を通して、移動端末１８の制御信号とログを含んで構成されるログ／制御信号１９ａを送受信する。
【００２１】
図２は、第１の実施の形態に係る通信装置自動試験システムを階層（レイヤー）別の概念で示した図である。図２に示すように、通信装置自動試験システムの基地局の制御部において網掛けを付した箇所が、遠隔による自動試験機能を実現するための「試験制御部」（試験制御プログラム）を追加する部分に対応する。
【００２２】
次に、本発明の第１の実施の形態に係る通信装置自動試験システム１００の動作を説明する。試験システム１００の「試験制御部」は、以下に詳述するように、試験者が操作する監視装置１２から試験情報を受信し、各ログ収集端末１４，１５，１９へ時刻同期信号を送信して各ログ収集端末１４，１５，１９間で時刻同期を取る。その後、「試験制御部」は、試験情報より試験内容を決定し、各ログ収集端末１４，１５，１９へ試験に必要な情報を送信して、通信装置／移動端末へ装置設定を行う。
【００２３】
なお、ログ収集端末１４，１５，１９間で時刻同期を取る際、各ログ収集端末から、そのログ収集端末が接続された、基地局１３内の制御部１３１、無線部１３４（各装置）、および移動端末１８へ時刻同期信号を送信するが、時刻同期の方法はこれに限定されない。例えば、各装置および移動端末１８にＧＰＳ等の時刻同期手段が設けられている場合には、その時刻同期手段の機能を用いることにより、各装置および移動端末において時刻同期を取ることも可能である。
【００２４】
各ログ収集端末１４，１５，１９は、決められた時刻、または検出された他のログ収集開始契機にログ取得を開始し、試験を開始する。試験終了後は、各ログ収集端末１４，１５，１９がログ収集を停止し、全ての試験が終了していない場合、次に実行すべき試験を開始する。そして、全ての試験が終了した場合、試験者が操作する監視装置１２へログを転送して自動試験を終了する。
【００２５】
ここで、他のログ収集開始契機をもとにログ収集を開始し、試験を実行をするとは、例えば、ログ収集端末１４，１５，１９のうち１台のログ収集端末のログ収集開始後に、そのログ収集端末がログ収集を開始した旨を示す信号を他のログ収集端末へ送信する等により、他のログ収集端末におけるログ収集や試験の実行を開始することを意味する。
【００２６】
上述したログ収集端末１４，１５，１９におけるログ収集、試験、その他処理は、ログ収集端末１４，１５，１９それぞれの制御部１４ｂ，１５ｂ，１９ｂにより実行される。これらログ収集端末１４，１５，１９として、例えば、汎用のパーソナルコンピュータ（PC)等を使用することができる。その場合、制御部１４ｂ，１５ｂ，１９ｂは、マイクロプロセッサ等のデバイスからなり、そのマイクロプロセッサ等がログ収集機能を実現することになる。
【００２７】
図３は、第１の実施の形態に係る通信装置自動試験システム１００の「試験制御部」における処理手順を示すフローチャートである。また、図４は、試験システム１００における動作を示すシーケンス図である。なお、図３および図４に示す試験制御の例では、試験者が監視装置１２を操作し、試験を１回だけ実行した場合を示している。
【００２８】
試験システム１００において通信装置の自動試験を行う場合、最初に、図３のステップＳ１１、および図４のシーケンスＳＱ１１に示すように、試験者が監視装置１２を操作して、試験項目／試験条件等の試験情報を、「試験制御部」に送信する。ここで、試験項目／試験条件等の試験情報とは、試験時の各装置設定情報、試験時に制御を行う各装置／端末の制御内容と時刻情報等の試験データである。この試験情報を受信した「試験制御部」からは、図４のシーケンスＳＱ１２に示すように、監視装置１２に対して受信応答が送信される。
【００２９】
なお、試験情報に含まれる時刻に関する情報に相対時間を用いることで、試験情報を繰り返し使用した試験を実施可能となる。
【００３０】
次に、図３のステップＳ１２において、「試験制御部」によって各ログ収集端末間で時刻同期をとる処理を行う。具体的には、「試験制御部」よりログ収集端末１４へ時刻同期信号が送信され（図４のシーケンスＳＱ１３）、ログ収集端末１５へ時刻同期信号が送信され（図４のシーケンスＳＱ１５）、ログ収集端末１９へ時刻同期信号が送信される（図４のシーケンスＳＱ１７）。また、ログ収集端末１４，１５，１９は、これらの時刻同期信号を受けると、それぞれが図４のシーケンスＳＱ１４，ＳＱ１６，ＳＱ１８において、「試験制御部」へ同期信号受信応答を送信する。かかる処理により、各ログ収集端末１４，１５，１９は、受信した時刻同期信号に基づいて時刻同期をとり、図４において符号３０１で示すように、ログ収集端末１４，１５，１９間で時刻同期が確立する。
【００３１】
「試験制御部」は、上記のように時刻同期をとった後、図３のステップＳ１３において、記憶部１３７に保存してある試験情報をもとに試験条件（試験内容）を決定する。そして、ステップＳ１４において、ログ収集端末１４、ログ収集端末１５、およびログ収集端末１９へ試験条件等を含む試験情報を送信する（図４のシーケンスＳＱ２１，ＳＱ２３，ＳＱ２５）。また、「試験制御部」より試験情報を受信したログ収集端末１４、ログ収集端末１５、およびログ収集端末１９は、それぞれ図４のシーケンスＳＱ２２，ＳＱ２４，ＳＱ２６に示すように、「試験制御部」へ試験情報の受信応答を返す。
【００３２】
次に、ログ収集端末１４、ログ収集端末１５、およびログ収集端末１９各々は、図３のステップＳ１５において、受信した試験情報をもとに、制御部１３１、無線部１３４、移動端末１８へ装置設定を行う。より具体的には、図４のシーケンスＳＱ３１において、ログ収集端末１４より制御部１３１へ装置設定が行われ、シーケンスＳＱ３２において、制御部１３１よりログ収集端末１４へ装置設定の確認応答が返される。同様に、図４のシーケンスＳＱ３３において、ログ収集端末１５より無線部１３４へ装置設定が行われ、続くシーケンスＳＱ３４において、無線部１３４よりログ収集端末１５へ装置設定の確認応答が返され、さらに、図４のシーケンスＳＱ３５において、ログ収集端末１９より移動端末１８へ装置設定が行われ、続くシーケンスＳＱ３６において、移動端末１８よりログ収集端末１９へ装置設定の確認応答が返される。
【００３３】
なお、ここでの装置設定とは、必要に応じて各装置（制御部１３１、無線部１３４）や移動端末１８の通信モード等の各種設定を行うことを意味する。また、必要に応じて試験に必要な装置設定を「試験制御部」が決定するようにしてもよい。この場合、試験条件の決定後、「試験制御部」からは、試験時の各装置設定情報、試験時に制御を行う各装置／端末の制御内容と時刻情報等を試験に必要な情報としてログ収集端末１４，１５，１９へ送信される。
【００３４】
上記装置設定の後、図３のステップＳ１６において、ログ収集端末１４、ログ収集端末１５、およびログ収集端末１９は、ログ収集を開始する（図４の符号３０３で示す処理を参照）。そして、ログ収集が開始された後、ログ収集端末１４、ログ収集端末１５、およびログ収集端末１９は、図３のステップＳ１８において、受信した試験情報に記載されている試験内容を、決められた時刻（各ログ収集端末で設定した時刻）に実行することで試験を実施する。これは、図４において符号３０５で示す「試験開始」から、符号３０７で示す「試験終了」までにおける「試験実行」に対応する。
【００３５】
図５は、「試験制御部」より試験情報を受信した各ログ収集端末１４，１５，１９における試験内容の実施の例を示している。図５に示すように、試験情報が送信されてから１分後に各ログ収集端末１４，１５，１９がログ収集を開始し、３分後にログ収集端末１９から移動端末１８への発信制御が実施される。そして、試験情報が送信されてから５分後に、ログ収集端末１９からコアネットワーク１１側へｐｉｎｇ導通を実施し、１０分後にログ収集端末１９からコアネットワーク１１側へ試験用のデータ送受確認を実施し、２０分後にログ収集端末１９から移動端末１８へ切断制御が実施される。
【００３６】
図３のステップＳ２０では、試験の終了を検知したか否かを判断する。ここでは、試験の終了をログ収集端末１９で検出する例を挙げる。例えば、図５に示すように、ログ収集端末１９による切断制御（切断処理）の完了を検出したタイミングで「試験終了」と判断する。ステップＳ２０で試験終了が検出された場合、図４においてシーケンスＳＱ４１で示すように、ログ収集端末１９は、「試験制御部」に試験終了通知を送信する。
【００３７】
「試験制御部」がログ収集端末１９から試験終了通知を受信すると、続くステップＳ２１において、ログ収集を終了する。このログ収集の終了は、「試験制御部」からログ収集端末１４へのログ収集停止信号の送信（図４のシーケンスＳＱ４２）、「試験制御部」からログ収集端末１５へのログ収集停止信号の送信（図４のシーケンスＳＱ４３）、そして、「試験制御部」からログ収集端末１９へのログ収集停止信号の送信（図４のシーケンスＳＱ４４）によって行われる。その結果、各ログ収集端末１４，１５，１９は、ログの収集を終了する（図４において符号３０９で示す処理を参照）。
【００３８】
上記のログ収集の終了後、ステップＳ２２において、監視装置１２へのログ転送処理に移行する。すなわち、ログ収集端末１４から監視装置１２へ試験で取得したログが転送されると（図４のシーケンスＳＱ５１）、監視装置１２からログ収集端末１４へ受信応答が返送される（図４のシーケンスＳＱ５２）。同様に、ログ収集端末１５から監視装置１２へ試験で取得したログが転送されると（図４のシーケンスＳＱ５３）、監視装置１２からログ収集端末１５へ受信応答が返送され（図４のシーケンスＳＱ５４）、ログ収集端末１９から監視装置１２へ試験で取得したログが転送されると（図４のシーケンスＳＱ５５）、監視装置１２からログ収集端末１９へ受信応答が返される（図４のシーケンスＳＱ５６）。
【００３９】
なお、第１の実施の形態に係る試験システム１００で行われる試験として、例えば、接続試験、スループット試験、障害試験等がある。また、各ログ収集端末１４，１５，１９で収集されたログは、各ログ収集端末１４，１５，１９が接続されたログＩ／Ｆ１３３，１３５，１８１を通過した後、図１では図示していないデータ伝送路を介して、監視装置１２へ送信される。
【００４０】
上記の各ログ収集端末１４，１５，１９から監視装置１２へのログ転送が終了すると、監視装置１２は、「試験制御部」へログ受信終了通知を送信し（図４のシーケンスＳＱ６１）、「試験制御部」からは監視装置１２に対して確認応答が返される（図４のシーケンスＳＱ６２）。試験の結果は、監視装置１２において、転送されたログを解析することにより確認するが、これに限定されない。例えば、各ログ収集端末１４，１５，１９にログの解析プログラムを設けて、試験結果をログに含めて送信するようにしてもよい。
【００４１】
以上説明したように、通信システムを構成する基地局の制御プログラムに、所定の自動試験を実行するためのプログラムである試験制御プログラムを追加するとともに、試験対象とする各装置、移動端末にパーソナルコンピュータ等をログ収集端末として接続する。そして、試験制御プログラムによる制御で、それらのログ収集端末よりログ収集し、得られたログをもとに試験結果を確認する構成とすることで、基地局の制御プログラムの変更（ソフトウェア変更による機能追加）のみで、通信装置において遠隔制御により、スループット測定等についての試験の開始から終了までを自動的に行える。
【００４２】
また、試験開始時に各ログ収集端末間で時刻同期を取り、ログ収集端末内部の時刻情報、あるいは他のログ収集開始契機をもとにログ収集を開始し、試験を実行することにより、試験実行中の通信装置、移動端末間の通信が不要となり、スループット測定や、通信装置、移動端末間の切断を伴うような場合でも試験を実施することができる。つまり、各ログ収集端末が、自端末内の時刻等をもとに試験を実行することで、試験実行中に他のログ収集端末等から試験実行のタイミングに関する信号を受信する必要がなく、通信装置、移動端末間の制御信号のやり取りが不要となる。
【００４３】
［第２の実施の形態］
図６は、本発明の第２の実施の形態に係る通信装置自動試験システムの全体構成を示すブロック図であり、通信システムの基地局等の各装置を、データ通信部と制御部／ログ収集部とに分けて示した概念図である。
【００４４】
図６に示す通信装置自動試験システム２００（以下、単に試験システムともいう）は、コアネットワーク４１と、監視装置４２と、基地局４３と、ログ収集端末４４と、移動局４５と、データ通信／ログ収集端末４６とを含んで構成される。基地局４３は、制御部４３１とデータ通信部４３２とを含んで構成され、制御部４３１には、上述した第１の実施の形態に係る通信装置自動試験システムの基地局の制御部と同様、制御部４３１内に設けた記憶部（不図示）に、基地局４３を制御するための制御プログラムに加えて、試験システム２００で実施される自動試験全体を制御、管理するための試験制御プログラムが格納されている。
【００４５】
なお、第２の実施の形態に係る試験システム２００においても、説明の便宜上、制御部４３１の制御プログラムに追加した試験制御プログラムによる自動試験機能を実現する部分を「試験制御部４３３」という。また、試験システム２００における試験時の動作等は、第１の実施の形態に係る試験システム１００と同様であるため、ここでは図示を簡略化するとともに、その説明を省略する。
【００４６】
ログ収集端末４４は、基地局４３内の制御部４３１に接続され、制御／ログ収集部４４１を有して構成される。制御／ログ収集部４４１は、基地局４３内の試験制御部４３３とログ／制御信号４４ａを送受信する。移動局４５は、制御部４５１とデータ通信部４５２とを含んで構成される。また、データ通信／ログ収集端末４６は、制御／ログ収集部４６１とデータ通信部４６２とを含んで構成される。
【００４７】
基地局４３に接続されたコアネットワーク４１は、基地局４３内のデータ通信部４３２とバックホール信号４１ａを送受信する。また、基地局４３に接続された監視装置４２は、遠隔から基地局４３を監視／制御する装置であり、基地局４３内の制御部４３１と監視信号４２ａを送受信する。基地局４３内では、試験制御部４３３とデータ通信部４３２とが装置内信号４３ａを送受信する。ここでは、データ通信部４３２は、装置内信号４３ａをバックホール信号４１ａ、あるいはＲＦ信号４５ａへ多重する。
【００４８】
移動局４５のデータ通信部４５２は、基地局４３内のデータ通信部４３２とＲＦ信号４５ａを送受信し、データ通信／ログ収集端末４６内のデータ通信部４６２とデータ信号４６ｂを送受信する。また、移動局４５の制御部４５１は、データ通信／ログ収集端４６内の制御／ログ収集部４６１とログ／制御信号４６ａを送受信する。データ通信／ログ収集端末４６では、制御／ログ収集部４６１とデータ通信部４６２とが端末内ログ／制御信号４６ｃを送受信し、データ通信部４６２は、この端末内ログ／制御信号４６ｃをデータ信号４６ｂへ多重する。
【００４９】
このように、第２の実施の形態に係る試験システムでは、基地局の制御プログラムに、所定の自動試験を実行するためのプログラムである試験制御プログラムを追加するとともに、ログ／制御信号をデータ信号として扱い、データが未送受信となっているタイミングでデータ信号ラインを介して、ログ／制御信号をデータ信号に多重して送信する。したがって、ログ／制御信号をデータ信号ラインを介して送受信することで、ログ／制御信号の送受信のために別の伝送ラインを設ける必要がないため、通信装置である基地局に対してハードウェア修正を加えることなく、試験の開始から終了までを自動的に実施できる。
【００５０】
［第３の実施の形態］
図７は、本発明の第３の実施の形態に係る通信装置自動試験システムの全体構成を示すブロック図である。第３の実施の形態に係る試験システムでは、試験構成を有線ハンドオーバHO系（試験系）とし、ログ収集端末を用いて測定器を制御する例について説明する。
【００５１】
図７に示す通信装置自動試験システム３００は、コアネットワーク５１と、監視装置５２と、ログ収集端末５４と、基地局５３と、ログ収集端末５５，５６，５９と、可変減衰器５７１と、分配器５７２と、移動端末５８とを含んで構成される。基地局５３は、制御部５３１と、無線部５３４，５３６とを含んで構成される。基地局５３と接続されたコアネットワーク５１は、基地局５３内の制御部５３１とバックホール信号５１ａを送受信する。
【００５２】
基地局５３内では、制御部５３１と無線部５３４とが装置内信号５３ａを送受信し、制御部５３１と無線部５３６とが装置内信号５３ｂを送受信する。監視装置５２は、遠隔から基地局５３を監視／制御する装置であり、基地局５３内の制御部５３１と監視信号５２ａを送受信する。
【００５３】
なお、第３の実施の形態に係る試験システム３００においても、説明の便宜上、制御部５３１の制御プログラムに追加した試験制御プログラムによる自動試験機能を実現する部分を「試験制御部５３２」という。また、試験システム３００における試験時の動作等は、第１の実施の形態に係る試験システム１００と同様であるため、ここでは図示を簡略化するとともに、その説明を省略する。
【００５４】
試験制御部５３２は、試験開始時に時刻同期信号を各ログ収集端末５４，５５，５６，５９へ送信して時刻同期をとる。また、試験制御部５３２は、監視装置５２から試験情報を受信して保存し、試験開始前に各ログ収集端末５４，５５，５６，５９へ、試験に必要な情報を送信し、試験終了後、各ログ収集端末５４，５５，５６，５９からのログ収集を行う。
【００５５】
ここで、ログ収集端末５４は、基地局５３内のログＩ／Ｆ５３５を通して無線部５３４の制御信号とログを含むログ／制御信号５４ａを送受信する。ログ収集端末５５は、基地局５３内のログＩ／Ｆ５３３を通して制御部５３１の制御信号とログを含むログ／制御信号５５ａを送受信する。ログ収集端末５６は、基地局５３内のログＩ／Ｆ５３７を通して無線部５３６の制御信号とログを含むログ／制御信号５６ａを送受信する。また、ログ収集端末５９は、移動端末５８内のログＩ／Ｆ５８１を通して移動端末５８の制御信号とログを含むログ／制御信号５９ｂを送受信する。また、ログ収集端末５９は、可変減衰器５７１へ制御信号５９ａを送信し、減衰量を変化することにより、無線部５３４と無線部５３６間のハンドオーバHOを制御する。
【００５６】
基地局５３内の無線部５３４は、基地局ＲＦ信号５７２ａを分配器５７２へ送受信する。また、基地局５３内の無線部５３６は、基地局ＲＦ信号５７１ａを可変減衰器５７１へ送受信する。可変減衰器５７１は、ＲＦ信号５７２ｂを分配器５７２へ送受信する。この分配器５７２は、無線部５３４から送受信した基地局ＲＦ信号５７２ａと、可変減衰器５７１から送受信したＲＦ信号５７２ｂを合成し、移動端末ＲＦ信号５７２ｃとして、移動端末５８へ送受信する。
【００５７】
第３の実施の形態に係る試験システム３００では、ログ収集端末から測定器を制御する。つまり、可変減衰器５７１をログ収集端末５９で制御する構成とすることで、例えば、無線通信断等の障害発生時を生じさせる（これは、アンテナの故障等により無線通信が不可となった場合と同じ状況を、測定器を用いて発生させることを想定したものである。）ことで、基地局、移動端末のログ収集、動作確認等の障害試験を自動で実施できる。
【００５８】
このように、装置／移動端末に接続しているログ収集端末と測定器とを接続し、試験実行時にログ収集端末から測定器を制御することにより、ハンドオーバ（以下、HOと表現する）等の試験が実施できる。
【００５９】
なお、上記いずれの実施の形態においても、試験者により監視装置から試験情報が入力される構成としたが、これに限定されない。例えば、試験情報をログ収集端末から入力する構成としてもよい。また、上記の実施の形態において、コアネットワークに試験制御部を設け、コアネットワークも制御できるようにしてもよい。さらに、試験対象の通信網で用いられているプロトコルを使用して、試験制御信号やログ伝送を実施するようにしてもよい。
【００６０】
上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００６１】
なお、上記の通信装置試験システムは、ハードウェア、ソフトウェア、又はこれらの組合わせにより実現することができる。また、上記の通信装置試験システムにより行なわれる通信システム試験方法も、ハードウェア、ソフトウェア、又はこれらに組合わせにより実現することができる。ここで、ソフトウェアによって実現されるとは、コンピュータがプログラムを読み込んで実行することにより実現されることを意味する。
【００６２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
上記の実施形態の一部または全部は、以下の付記のようにも記載されうるが、以下には限られない。
【００６４】
（付記１）
ネットワークに接続された通信装置と、該通信装置と通信を行う端末装置とを含んで構成される通信システムで所定の試験を実施する通信装置試験システムであって、前記通信装置を構成する各装置と前記端末装置のうち前記試験の対象とする試験対象装置に予めログ収集端末を接続し、前記通信装置の制御部が有する試験制御機能によって、前記ログ収集端末へ所定の試験情報を送信するとともに該ログ収集端末によるログ収集を開始させ、試験終了後に該ログ収集を停止させてから前記ログ収集端末より該試験で取得したログを転送させることを特徴とする通信装置試験システム。
【００６５】
（付記２）
前記試験制御機能は、前記制御部の通信制御機能に対する、前記試験の実施のための機能追加により実現されることを特徴とする付記１に記載の通信装置試験システム。
【００６６】
（付記３）
ネットワークに接続された通信装置と、該通信装置と通信を行う端末装置とを含んで構成される通信システムで所定の試験を実施する通信装置試験システムであって、前記試験を実施するための試験制御機能を有する試験制御手段と、前記試験制御手段へ所定の試験情報を入力する手段と、前記通信装置を構成する各装置と前記端末装置のうち前記試験の対象とする試験対象装置に接続されたログ収集端末とを備え、前記試験制御手段は、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させることを特徴とする通信装置試験システム。
【００６７】
（付記４）
前記試験情報は、前記通信装置に接続された監視装置より入力され、前記通信装置から前記ログ収集端末へ送信されることを特徴とする付記１から付記３のいずれかに記載の通信装置試験システム。
【００６８】
（付記５）
前記試験情報には、試験時における前記各装置と前記端末装置の各種設定情報、試験時に制御を行う前記各装置と前記端末装置の制御内容、および時刻情報が含まれることを特徴とする付記４に記載の通信装置試験システム。
【００６９】
（付記６）
前記ログ収集端末は、前記各種設定情報をもとに前記各装置と前記端末装置に対して所定の装置設定を行うことを特徴とする付記５に記載の通信装置試験システム。
【００７０】
（付記７）
試験の開始前、前記試験制御機能により前記ログ収集端末へ時刻同期信号が送信されることで該ログ収集端末間で時刻同期をとることを特徴とする付記１から付記６のいずれかに記載の通信装置試験システム。
【００７１】
（付記８）
前記ログ収集端末は前記時刻情報をもとに前記ログ収集を開始することを特徴とする付記５に記載の通信装置試験システム。
【００７２】
（付記９）
前記ログ収集端末のうちの１つがログ収集を開始した後、該ログ収集を開始した旨の信号を他のログ収集端末へ送信することで前記ログ収集が開始されることを特徴とする付記５に記載の通信装置試験システム。
【００７３】
（付記１０）
前記試験に必要な情報は、前記ログ収集端末より前記制御部に送信されることを特徴とする付記１から付記９のいずれかに記載の通信装置試験システム。
【００７４】
（付記１１）
前記監視装置は、前記転送されたログを解析して試験の結果を確認することを特徴とする付記１から付記９のいずれかに記載の通信装置試験システム。
【００７５】
（付記１２）
ログと制御信号で構成されるログ／制御信号をデータ信号として扱い、データが未送受信となっているタイミングでデータ信号ラインを介して、該ログ／制御信号をデータ信号に多重して送信することを特徴とする通信装置試験システム。
【００７６】
（付記１３）
通信装置、移動端末に接続しているログ収集端末に測定器を接続して、試験実行時にログ収集端末から該測定器を制御することにより、ハンドオーバ（HO）等の試験を実施することを特徴とする通信装置試験システム。
【００７７】
（付記１４）
前記ログ収集端末として、ログ収集機能とログ転送機能を搭載したパーソナルコンピュータを使用することを特徴とする付記１から付記１３のいずれかに記載の通信装置試験システム。
【００７８】
（付記１５）
ネットワークに接続された通信装置と、該通信装置と通信を行う端末装置とを含んで構成される通信システムにおける通信システム試験方法であって、前記通信装置の制御部に前記試験を実施するための試験制御機能を付加する工程と、前記通信装置に接続された監視装置より所定の試験情報を入力する工程と、前記通信装置を構成する各装置と前記端末装置のうち前記試験の対象とする試験対象装置を特定する工程と、前記特定された試験対象装置にログ収集端末を接続する工程と、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる工程と、を備えることを特徴とする通信システム試験方法。
【００７９】
（付記１６）
前記試験制御機能は、前記制御部の通信制御機能に対する、前記試験の実施のための機能追加により実現されることを特徴とする付記１５に記載の通信システム試験方法。
【００８０】
（付記１７）
前記試験情報は、前記通信装置に接続された監視装置より入力され、前記通信装置から前記ログ収集端末へ送信されることを特徴とする付記１５に記載の通信システム試験方法。
【００８１】
（付記１８）
前記試験情報には、試験時における前記各装置と前記端末装置の各種設定情報、試験時に制御を行う前記各装置と前記端末装置の制御内容、および時刻情報が含まれることを特徴とする付記１７に記載の通信システム試験方法。
【００８２】
（付記１９）
前記ログ収集端末は、前記各種設定情報をもとに前記各装置と前記端末装置に対して所定の装置設定を行うことを特徴とする付記１８に記載の通信システム試験方法。
【００８３】
（付記２０）
試験の開始前、前記試験制御機能により前記ログ収集端末へ時刻同期信号が送信されることで該ログ収集端末間で時刻同期をとることを特徴とする付記１５から付記１９のいずれかに記載の通信システム試験方法。
【００８４】
（付記２１）
前記ログ収集端末は前記時刻情報をもとに前記ログ収集を開始することを特徴とする付記１８に記載の通信システム試験方法。
【００８５】
（付記２２）
前記ログ収集端末のうちの１つがログ収集を開始した後、該ログ収集を開始した旨の信号を他のログ収集端末へ送信することで前記ログ収集が開始されることを特徴とする付記１８に記載の通信システム試験方法。
【００８６】
（付記２３）
前記試験に必要な情報は、前記ログ収集端末より前記制御部に送信されることを特徴とする付記１５から付記２２のいずれかに記載の通信システム試験方法。
【００８７】
（付記２４）
前記監視装置は、前記転送されたログを解析して試験の結果を確認することを特徴とする付記１５から付記２２のいずれかに記載の通信システム試験方法。
【００８８】
（付記２５）
ログと制御信号で構成されるログ／制御信号をデータ信号として扱い、データが未送受信となっているタイミングでデータ信号ラインを介して、該ログ／制御信号をデータ信号に多重して送信することを特徴とする通信システム試験方法。
【００８９】
（付記２６）
通信装置、移動端末に接続しているログ収集端末に測定器を接続して、試験実行時にログ収集端末から該測定器を制御することにより、ハンドオーバ（HO）等の試験を実施することを特徴とする通信システム試験方法。
【００９０】
（付記２７）
前記ログ収集端末として、ログ収集機能とログ転送機能を搭載したパーソナルコンピュータを使用することを特徴とする付記１５から付記２６のいずれかに記載の通信システム試験方法。
【００９１】
（付記２８）
ネットワークに接続された通信装置と、該通信装置と通信を行う端末装置とを含んで構成される通信システムで所定の試験を実施する通信システム試験装置としてコンピュータを機能させるためのプログラムであって、前記コンピュータを、前記試験を実施するための試験制御機能を有する試験制御手段、前記試験制御手段へ所定の試験情報を入力する手段、前記通信装置を構成する各装置と前記端末装置のうち前記試験の対象とする試験対象装置にログ収集端末を接続させる手段、前記試験制御機能によって、前記ログ収集端末へ前記試験情報を送信するとともに該ログ収集端末によるログ収集を開始させ、試験終了後に該ログ収集を停止させてから前記ログ収集端末より該試験で取得したログを転送させる手段、として機能させることを特徴とするプログラム。
【００９２】
（付記２９）
前記試験制御機能は、前記制御部の通信制御機能に対する、前記試験の実施のための機能追加により実現されることを特徴とする付記２８に記載のプログラム。
【００９３】
（付記３０）
前記試験情報は、前記通信装置に接続された監視装置より入力され、前記通信装置から前記ログ収集端末へ送信されることを特徴とする付記２８に記載のプログラム。
【００９４】
（付記３１）
前記試験情報には、試験時における前記各装置と前記端末装置の各種設定情報、試験時に制御を行う前記各装置と前記端末装置の制御内容、および時刻情報が含まれることを特徴とする付記３０に記載のプログラム。
【００９５】
（付記３２）
前記ログ収集端末は、前記各種設定情報をもとに前記各装置と前記端末装置に対して所定の装置設定を行うことを特徴とする付記３１に記載のプログラム。
【００９６】
（付記３３）
試験の開始前、前記試験制御機能により前記ログ収集端末へ時刻同期信号が送信されることで該ログ収集端末間で時刻同期をとることを特徴とする付記２８から付記３２のいずれかに記載のプログラム。
【００９７】
（付記３４）
前記ログ収集端末は前記時刻情報をもとに前記ログ収集を開始することを特徴とする付記３１に記載のプログラム。
【００９８】
（付記３５）
前記ログ収集端末のうちの１つがログ収集を開始した後、該ログ収集を開始した旨の信号を他のログ収集端末へ送信することで前記ログ収集が開始されることを特徴とする付記３１に記載のプログラム。
【００９９】
（付記３６）
前記試験に必要な情報は、前記ログ収集端末より前記制御部に送信されることを特徴とする付記２８から付記３５のいずれかに記載のプログラム。
【０１００】
（付記３７）
前記監視装置は、前記転送されたログを解析して試験の結果を確認することを特徴とする付記２８から付記３５のいずれかに記載のプログラム。
【０１０１】
（付記３８）
ログと制御信号で構成されるログ／制御信号をデータ信号として扱い、データが未送受信となっているタイミングでデータ信号ラインを介して、該ログ／制御信号をデータ信号に多重して送信することを特徴とするプログラム。
【０１０２】
（付記３９）
通信装置、移動端末に接続しているログ収集端末に測定器を接続して、試験実行時にログ収集端末から該測定器を制御することにより、ハンドオーバ（HO）等の試験を実施することを特徴とするプログラム。
【０１０３】
（付記４０）
前記ログ収集端末として、ログ収集機能とログ転送機能を搭載したパーソナルコンピュータを使用することを特徴とする付記２８から付記３９のいずれかに記載のプログラム。
【産業上の利用可能性】
【０１０４】
本発明は、通信システムの通信装置のみならず、通信機能を備える有線機器や家電等における遠隔からの試験にも用いることができる。また、開発試験系で行うシステム試験の他、フィールド試験や各種ベンダーの移動端末を用いて行う基地局と移動端末間の組合せ試験等に用いることができる。
【符号の説明】
【０１０５】
１１    コアネットワーク
１２    監視装置
１３    基地局
１４，１５，１９    ログ収集端末
１６，１７    アンテナ
１８    移動端末
１００，２００，３００    通信装置自動試験システム
１３１    制御部
１３３，１３５，１８１  ログＩ／Ｆ
１３４    無線部
１３６    無線制御部
１３７  記憶部
１３９    制御プログラム
１４１    試験制御プログラム
【図１】
2014170418.tif 000003
【図２】
2014170418.tif 000004
【図３】
2014170418.tif 000005
【図４】
2014170418.tif 000006
【図５】
2014170418.tif 000007
【図６】
2014170418.tif 000008
【図７】
2014170418.tif 000009